(57)【要約】      （修正有）【課題】飛沫拡散を抑制しながらも、半固定的な情報の伝達も含めてコミュニケーションをより活発に図ることができるパーティションのセット及びメッセージステッカーを提供する。【解決手段】パーティションのセット１は、透明な板からなり、卓上に設置されて、卓に接近した使用者が発する呼吸器飛沫の移動を遮断するパーティション主板１０と、パーティション主板を卓上に設置可能とする主板設置部材２００と、ステッカー基材５２、該ステッカー基材の表面側ＳＳに配置されたラミネート層５４、及び、該ステッカー基材の裏面側ＢＳに配置された粘着層５６を有し、粘着層がパーティション主板の表面に貼り付けられて使用者の間のメッセージ伝達の用に供されるメッセージステッカー５０とを具備する。【選択図】図１
0003234079.tif 000002
【実用新案登録請求の範囲】
【請求項１】
透明な板からなり、卓上に設置されて、卓に接近した使用者が発する呼吸器飛沫の移動を遮断するパーティション主板と、
前記パーティション主板を前記卓上に設置可能とする主板設置部材と、
ステッカー基材、該ステッカー基材の表面側に配置されたラミネート層、及び、該ステッカー基材の裏面側に配置された粘着層を有し、前記粘着層が前記パーティション主板の表面に貼り付けられて使用者の間のメッセージ伝達の用に供されるメッセージステッカーと、
を具備したパーティションのセット。
【請求項２】
請求項１に記載のパーティションのセットにおいて、
前記パーティション主板に対し脱着可能なトレーを更に具備したことを特徴とするパーティションのセット。
【請求項３】
請求項１又は２に記載のパーティションのセットにおいて、
前記パーティション主板と前記メッセージステッカーの前記粘着層との間の粘着力は、前記メッセージステッカーにおける前記ステッカー基材と前記粘着層との間の粘着力よりも小さく設定されていることを特徴とするパーティションのセット。
【請求項４】
請求項１〜３のいずれかに記載のパーティションのセットにおいて、
前記メッセージステッカーの前記ラミネート層は、その表面が弱撥水性を有するものであることを特徴とするパーティションのセット。
【請求項５】
呼吸器飛沫の拡散を遮断するパーティション主板に対し貼り付けられて、使用者の間のメッセージ伝達の用に供されるメッセージステッカーであって、
ステッカー基材と、該ステッカー基材の表面側に配置されたラミネート層と、該ステッカー基材の裏面側に配置された粘着層と、を有し、
前記ラミネート層の表面又は前記ステッカー基材において伝達されるべきメッセージが記載されるよう構成され、かつ、前記粘着層が前記パーティション主板の表面に貼り付けられるように構成されたメッセージステッカー。
【請求項６】
請求項５に記載されたメッセージステッカーにおいて、
前記パーティション主板と前記メッセージステッカーの前記粘着層との間の粘着力は、前記メッセージステッカーにおける前記ステッカー基材と前記粘着層との間の粘着力よりも小さく設定されていることを特徴とするメッセージステッカー。
【請求項７】
請求項５又は６に記載されたメッセージステッカーにおいて、
前記ラミネート層は、その表面が弱撥水性を有するものであることを特徴とするメッセージステッカー。
【考案の詳細な説明】
【技術分野】
【０００１】
本考案は、呼吸器飛沫の拡散を抑制するのに適したパーティションのセット及び該セットに用いられるメッセージステッカーに関する。
【背景技術】
【０００２】
昨今の新型コロナウイルス禍を受け、カウンター、デスク、テーブル等の卓に着座するなどして卓に接近した者が発する呼吸器飛沫の拡散を抑制するため、卓上に設置することを想定したパーティションが提案されている（例えば特許文献１参照）。
特許文献１に記載されたパーティションは、図示を省略するが、卓上に起立状態で設置されるパーティション主板を備えており、かかるパーティション主板によって卓に接近した者の呼吸器飛沫の移動を遮断して飛沫の拡散を抑制している。特許文献１のパーティション主板は、透明な２枚の板材（シールド本体２ａ，２ｂ）を重ね合わすことで構成されており、この２枚の板材間に資料等を挟むことによって、パーティションの反対側に居る者に対し資料等に書かれた情報を伝達できるようになっている（［００１５］段落）。
【先行技術文献】
【特許文献】
【０００３】
【特許文献１】実用新案登録第３２２８２１７号公報
【考案の開示】
【考案が解決しようとする課題】
【０００４】
ただ、特許文献１に記載されたパーティションにおいては、伝達すべき情報を更新したい場合には、パーティションを分解し２枚の板材の間に挟まれた資料等を回収して新たな資料等に差し替える必要があることから、煩雑な作業が必要になっていた。またこの場合、飛沫が付着したパーティション主板を触りながら分解することとなるため衛生面でも課題があった。このように、特許文献１に記載されたパーティションは資料等の差し替えを躊躇させる性質があることから、使い途としては、情報の差し替えが然程頻繁ではないいわば「固定的な」情報を伝達するのには適していると言える。
【０００５】
しかしながら、例えば一定期間に限って来客者一般に対し共通的に伝える情報であったり、一定期間に限って仮に応対者が居なくても自動的に伝える情報（逆にいうと一定期間過ぎたら取り下げたり内容を更新したりする性質を有する情報）といったいわば「半固定的な」情報を伝達するのには、特許文献１に記載されたパーティションは適していない。
【０００６】
そこで本考案は上記した事情に鑑みてなされたものであり、飛沫拡散を抑制しながらも、半固定的な情報の伝達も含めてコミュニケーションをより活発に図ることができるパーティションのセットを提供することを目的とする。また、そのようなパーティションのセットに用いられるメッセージステッカーを提供することを目的とする。
【０００７】
なお、参考までに「流動的な」情報を伝達することについては、例えばパーティション主板の反対側から、使用者が手で持つなどして紙面や電子端末等の画面に書かれた文字・図形・写真等を一時的に見せることで実現でき、これであれば伝達すべき情報を容易に差し替えられることを付記しておく。
【課題を解決するための手段】
【０００８】
本考案の一態様によればパーティションのセットが提供される。このパーティションのセットは、透明な板からなり、卓上に設置されて、卓に接近した使用者が発する呼吸器飛沫の移動を遮断するパーティション主板と、パーティション主板を卓上に設置可能とする主板設置部材と、ステッカー基材、該ステッカー基材の表面側に配置されたラミネート層、及び、該ステッカー基材の裏面側に配置された粘着層を有し、粘着層がパーティション主板の表面に貼り付けられて使用者の間のメッセージ伝達の用に供されるメッセージステッカーと、を具備している。
【０００９】
また、本考案の別の一態様によれば、呼吸器飛沫の拡散を遮断するパーティション主板に対し貼り付けられて、使用者の間のメッセージ伝達の用に供されるメッセージステッカーが提供される。このメッセージステッカーは、ステッカー基材と、該ステッカー基材の表面側に配置されたラミネート層と、該ステッカー基材の裏面側に配置された粘着層と、を有し、ラミネート層の表面又はステッカー基材において伝達されるべきメッセージが記載されるよう構成され、かつ、粘着層がパーティション主板の表面に貼り付けられるように構成されている。
【考案の効果】
【００１０】
本考案によれば、飛沫拡散を抑制しながらも、半固定的な情報の伝達も含めてコミュニケーションをより活発に図ることができるパーティションのセットを提供することができる。また、そのようなパーティションのセットに用いられるメッセージステッカーを提供することができる。
【図面の簡単な説明】
【００１１】
【図１】実施形態に係るパーティションのセット１を説明するために示す図である。
【図２】パーティション主板１０、及び、主板設置部材２００を構成するスタンド片２０を説明する斜視図である。
【図３】トレー３０をパーティション主板１０に装着するための機構の一例を示す斜視図である
【図４】変形例１に係るパーティションのセット１’を示す模式図である。
【図５】変形例２に係るパーティションのセット１’’を示す模式図である。
【考案を実施するための形態】
【００１２】
以下、本考案に係るパーティションのセット及びメッセージステッカーの実施形態について図面を参照して説明する。なお、各図に共通する符号については当該符号について既に説明した内容を他の図の説明においても援用できることから、他の図における説明を省略する。各図面は一例を示した模式図であり、必ずしも実際の寸法、比率等を厳密に反映したものではない。
【００１３】
［実施形態］
１．実施形態に係るパーティションのセット１及びメッセージステッカー５０の構成
図１は、実施形態に係るパーティションのセット１を説明するために示す図である。図１（ａ）はパーティションのセット１の斜視図、図１（ｂ）はパーティションのセットを図１（ａ）の矢印Ａに沿って視たときの平面図をそれぞれ示す。図２は、パーティション主板１０、及び、主板設置部材２００を構成するスタンド片２０を説明する斜視図である。
【００１４】
（１）基本構成
図１（ａ）及び図１（ｂ）に示すように、実施形態に係るパーティションのセット１は、基本的にパーティション主板１０と、主板設置部材２００と、メッセージステッカー５０とを具備している。
パーティションのセット１は、典型的には複数の者がパーティション主板１０を挟んで対面するような場で使用されることを想定している。パーティションのセット１は、カウンター、デスク、テーブル等の卓の上方に設置されて、卓に着座するなどして卓に接近した者（使用者）が発する呼吸器飛沫の移動をパーティション主板１０により遮断して飛沫拡散を抑制するよう構成されている。このパーティション主板１０は透明な板からなるため、パーティション主板１０を挟んだ反対側の様子が分かるようになっており、パーティション主板１０を挟んで対面する双方の使用者（例えば来客者Ｖ及び応対者Ｒ）の間で視覚的なコミュニケーションを図ることが可能となっている。
【００１５】
パーティションのセット１は、メッセージが書かれたメッセージステッカー５０をパーティション主板１０に貼り付けられるようになっており、半固定的な情報（例えば期間限定のメッセージ等）を使用者に伝達するのに適した構成となっている。
【００１６】
また、パーティションのセット１は、パーティション主板に対し脱着可能なトレー３０を更に具備することが好ましい。
【００１７】
（２）パーティション主板１０
図２に示すように、パーティション主板１０は、平面である第１面１１及び第２面１２を有する平面状の板からなっている。
上記したようにパーティション主板１０は卓上に設置されて卓に接近した使用者が発する呼吸器飛沫の移動を遮断するものとして構成していることから、パーティション主板１０の横幅（側辺１４ａ及び側辺１ｂの間の距離）は少なくとも使用者の肩幅よりも大きく設定されていることが望ましく、また、高さ（下端面１８及び上辺１３の間の距離）は、使用者が正対したときにパーティション主板１０の上辺１３が使用者の目の高さよりも上になるように設定されていることが望ましい。
【００１８】
パーティション主板１０の上辺１３の側とは反対の下端面１８の側には、切り欠き開口１５が設けられている。かかる切り欠き開口１５を通じて、対面する双方の使用者の間で資料等のやり取りが可能になっている。
また、パーティション主板１０には、下端面１８の複数個所において、上方に直線状に切り込んだスタンド係合溝１６ａ，１６ｂが設けられており、後述するスタンド片２０の主板受け溝２３と係合するようになっている。
さらに、パーティション主板１０には、所定の位置に直線状のスリット穴１７が設けられており、トレー３０を取り付け可能になっている（詳細は後述）。
【００１９】
パーティション主板１０はアクリル樹脂を主材料とするいわゆるアクリル板を採用している。しかしながらパーティション主板１０の構成材料は、本考案の作用・効果を引き出すものであれば、そのような材料に限定されるものではない。
【００２０】
（３）主板設置部材２００
主板設置部材２００は、パーティション主板１０を卓上に設置可能とする部材である。この主板設置部材２００は、パーティション主板１０の主面（ここでは第１面１１及び第２面１２）が水平面に対し略垂直になるようにパーティション主板１０を起立状態にさせ、パーティション主板１０を卓上に設置せしめる手段／部材であれば如何なるものであってもよい。
本実施形態においては、主板設置部材２００は略Ｔ字型のスタンド片２０をもって構成している。スタンド片２０を平面視したときの下端面２２を下辺と定義したときに、スタンド片２０は下辺の中央付近から先端部２０ｂに向けて上方向に延びた略Ｔ字型をなしている。スタンド片２０は、下端面２２側をベースとする基端部２０ａから先端部２０ｂにかけて中間部２０ｃで徐々に先細りするような形状となっている。
【００２１】
スタンド片２０の先端部２０ｂには主板受け溝２３が形成されており、パーティション主板１０のスタンド係合溝１６ａ，１６ｂと係合するようになっている。
図２の左側に描かれたスタンド片２０はパーティション主板１０に係合する前の状態を示している。スタンド片２０の主板受け溝２３をパーティション主板１０のスタンド係合溝１６ａ，１６ｂに合わせながら、スタンド片２０を太矢印の方向にスライドさせると、スタンド片２０は、図２の右側に描かれたスタンド片２０のようにパーティション主板１０と係合した状態となる。このとき、スタンド片２０の下端面２２はパーティション主板１０の下端面１８と同一の面を構成することとなり《いわゆる面一（つらいち）の状態となり》、卓の天板の上面に対し段差なく接するようにしてパーティション主板１０が卓上に設置することが可能となる。
【００２２】
本実施形態ではパーティション主板１０と主板設置部材２００（スタンド片２０）とが別体である場合を例に説明をしたが、これに限定されるものではない。パーティション主板１０とスタンド部分とを一体的に形成してもよい。このようなパーティション主板１０と一体的に形成されたスタンド部分についても本考案の「主板設置部材２００」の概念に含まれる。
【００２３】
なお、ここでの「卓上」とは卓の天板の上面よりも上方という意味である。
【００２４】
（４）メッセージステッカー５０
再び図１に戻ってメッセージステッカー５０について説明をする。メッセージステッカー５０は、呼吸器飛沫の拡散を遮断するパーティション主板１０に対し貼り付けられて、該パーティション主板１０の付近に居る使用者に対しメッセージを伝達するという、使用者の間のメッセージ伝達の用に供されるステッカーである。
【００２５】
図１（ｃ）はメッセージステッカー５０の断面図を示している。
図１（ｃ）に示すように、メッセージステッカー５０は、ステッカー基材５２と、該ステッカー基材５２の表面側ＳＳに配置されたラミネート層５４と、該ステッカー基材５２の裏面側ＢＳに配置された粘着層５６とを有している。なお、ラミネート層５４とステッカー基材５２との間は接着剤５５によって貼り合わされている。
【００２６】
ステッカー基材５２は、いわゆる紙の類であり、例えばポリプロピレン系合成紙を採用することができる。
【００２７】
粘着層５６は、例えばアクリル系接着剤を採用することができる。この粘着層５６はステッカー基材５２と接合されて一体となっている。メッセージステッカー５０が使用されるときには、粘着層５６の裏面側ＢＳの表面がパーティション主板１０の表面と液密の状態になって、メッセージステッカー５０の粘着層５６がパーティション主板１０の表面に貼り付けられる。
【００２８】
ここで、パーティション主板１０とメッセージステッカー５０の粘着層５６との間の粘着力（吸着力と言い換えることもできる）は、メッセージステッカー５０におけるステッカー基材５２と粘着層５６との間の粘着力よりも小さく設定されている。
粘着層５６の粘着力がこのような関係を満たす範囲で設定してあるため、メッセージステッカー５０をパーティション主板１０に貼り付け可能でありながら、メッセージステッカー５０を剥がしたときには粘着層５６の材料がパーティション主板１０にベッタリと残留するようなことも起きない（いわゆる微粘着）。
【００２９】
ラミネート層５４は、一般的なラミネートフィルム（例えば接着剤５５が予め添付されているポリエステルフィルムなど）をステッカー基材５２に対して重ねるようにして積層して加熱しながら軽く加圧することによって形成することができる。
ラミネート層５４の表面（図の符号ＳＳの側の面）は伝達されるべきメッセージが記載される面となる。
伝達されるべきメッセージ（文字・図形など）は、ラミネート層５４の表面にホワイトボード用のマーカーペンなどで書くことができる。なお、伝達されるべきメッセージの一部又は全部はステッカー基材５２（紙）に予め記載されていてもよい。
ホワイトボード用のマーカーペンの画材の中には剥離剤を含んでいるため、そのようなマーカーペンでラミネート層５４の表面に書かれたメッセージは、ホワイトボード用のイレーサーによって消すこともできる。
【００３０】
別の実現例として、ラミネート層５４は表面が弱撥水性を有するように構成してもよい。つまり、メッセージステッカー５０のラミネート層５４はその表面が弱撥水性を有するものとして構成してもよい。
【００３１】
（５）トレー３０
トレー３０は、少なくとも受皿部３２を有しており、パーティション主板１０に装着されて、例えばマーカーペン、イレーサー等の文房具を受皿部３２に置くことや、飲食関係であれば飲食をする際に使用する調味料等を受皿部３２に置くことが可能となっている。
【００３２】
図３は、トレー３０をパーティション主板１０に装着するための機構の一例を示す斜視図である。
実施形態のトレー３０は、図３（ａ）に示すように、受皿部３２、受皿部３２から上方に反りあがった形状をなす縁部３８、縁部３８の反対側に位置した係合凸条部３４などを有している。縁部３８は受皿部３２に置かれた物の落下防止に資される。係合凸条部３４はパーティション主板１０のスリット穴１７と係合する部分となる。係合凸条部３４の基部には止め穴３５が形成されている。また係合凸条部３４の幅は受皿部３２の幅よりも狭くなっており、その狭くなった寸法に対応して受皿ストッパー部３２ａが形成されている。受皿ストッパー部３２ａは、トレー３０がスリット穴１７に嵌挿されたときにトレー３０がパーティション主板１０に当接して止まる部分（いわゆる度当たり）となる。
【００３３】
次に、トレー３０のパーティション主板１０への装着について説明する。
図３（ａ）はトレー３０がスリット穴１７へ嵌挿される前の様子を示し、図３（ｂ）はトレー３０がトレーアンカー４０によってパーティション主板１０に固定される前の様子を示している。
【００３４】
まず、図３（ａ）に示すように、トレー３０の凸条端３６をパーティション主板１０の第１面１１に向けて太矢印の方向に移動させつつ、トレー３０の係合凸条部３４をパーティション主板１０のスリット穴１７に嵌挿させて係合させる。このときトレー３０は受皿ストッパー部３２ａが第１面１１に当接するまで嵌挿させる。そうしたときパーティション主板１０の第２面１２の側から見ると図３（ｂ）のような状態になる。
次いで、図３（ｂ）に示すように、トレーアンカー４０の凸条端４４をトレー３０の止め穴３５に向けて太矢印の方向に移動させつつ、トレーアンカー４０のアンカー凸条部４２を止め穴３５に嵌挿させて係合させる。これにより、トレー３０はパーティション主板１０にアンカリングされて固定されて、パーティション主板１０への装着が完了する（図１参照）。
【００３５】
なお、トレー３０の取り外しの際には、上記と逆の作業を行うことで実現できる。
以上のように、トレー３０はパーティション主板１０に対し脱着可能に構成されている。
【００３６】
２．実施形態に係るパーティションのセット１及びメッセージステッカー５０の効果
（１）実施形態に係るパーティションのセット１は、パーティション主板１０が卓上に設置されて卓に接近した使用者が発する呼吸器飛沫の移動を遮断するよう構成されている。このため、飛沫拡散を抑制することができる。
【００３７】
また、パーティション主板１０が透明な板からなるため、パーティション主板１０を挟んだ反対側の様子が分かり、パーティション主板１０を挟んで対面する双方の使用者（例えば来客者Ｖ及び応対者Ｒ）の間で視覚的なコミュニケーションを図ることが可能となる。
【００３８】
また、実施形態のメッセージステッカー５０は、紙等でなるステッカー基材５２に対して更にラミネートを施したラミネート層５４を有することから、ラミネート層５４の表面にマーカーペン等でメッセージ（文字・図形等の情報）を書くこともでき、かつまた、所定のイレーサー等を用いることによりメッセージ（情報）を容易に消去したり、容易に書き換えたりすることができ、使用者の間のメッセージ伝達の用に供されるようになっている。
【００３９】
このため、実施形態のパーティションのセット１は、一定期間に限って来客者一般に対し共通的に伝える情報であったり、一定期間に限って仮に応対者が居なくても自動的に伝える情報（逆にいうと一定期間過ぎたら取り下げたり内容を更新したりする性質を有する情報）といったいわば「半固定的な」情報を伝達するのに好適なものとして提供することができる。
特に次に例示する機関においては「半固定的な」情報を伝達する場面が多い。
例えば病院の窓口（受付、各種相談、精算など）における例えば”今週の担当医”などの半固定的な情報、企業／銀行等の受付窓口や公官庁／行政機関の各種窓口における例えば”本日の日付・曜日”、”窓口担当者名”などの半固定的な情報、飲食店のカウンターや対面するテーブルなどにおける例えば”本日のお勧めメニュー”などの半固定的な情報などを挙げることができる。こうした半固定的な情報は、一定期間は固定的でありながらも期間が経過すると書き換えたり、別の情報が書かれたメッセージステッカー５０と差し替えたりすることとなる。
【００４０】
さらに、実施形態のメッセージステッカー５０は、ステッカー基材５２の裏面側に配置された粘着層５６を有し、粘着層５６がパーティション主板１０の表面に貼り付けられるように構成されている。
このため、パーティション主板に対してメッセージステッカー５０を貼り付けたり（貼付）／剥がしたり（剥離）を繰り返し行うことができる。また、メッセージの内容や伝達すべき対象者に応じてメッセージステッカー５０を貼る位置の変更も容易に行うことができる。
【００４１】
したがって、透明なパーティション主板１０を介した使用者同士の視覚的なコミュニケーションの他、メッセージステッカー５０を介した半固定的な情報伝達についても容易に行うことができる。
【００４２】
以上より、実施形態に係るパーティションのセット１によれば、飛沫拡散を抑制しながらも、半固定的な情報の伝達も含めてコミュニケーションをより活発に図ることができる。
【００４３】
（２）パーティションのセット１は、パーティション主板１０に対し脱着可能なトレー３０を更に具備している。これにより、ペンなどの文房具を置いたり、飲食関係にあっては調味料を置いたりするなどしてトレー３０を活用することができる。特にマーカーペン、イレーサ等を置いておくことによりメッセージステッカー５０に書かれるメッセージの更新の際にもこれらを活用しやすくなり、より活発なコミュニケーションを図ることができる。
【００４４】
また、トレー３０はパーティション主板１０に対して脱着可能なため、トレー３０が不要なときには取り外しをすることができる。また、トレー３０に収容する物の種類やサイズに応じて異なる仕様のトレーを適宜付け替えることもできる。
【００４５】
（３）パーティション主板１０とメッセージステッカー５０の粘着層５６との間の粘着力は、メッセージステッカー５０におけるステッカー基材５２と粘着層５６との間の粘着力よりも小さく設定されている。このため、メッセージステッカー５０をパーティション主板１０から容易に剥がすことができるし、かつまた、剥がした後も粘着層がパーティション主板１０に残留しない。さらに、剥がしたメッセージステッカー５０も再度パーティション主板１０に貼り付け可能なため、繰り返し使用がより容易なメッセージステッカー５０とすることができる。
【００４６】
（４）実施形態においては、メッセージステッカー５０のラミネート層５４をその表面が弱撥水性を有するものとして構成してもよい。これにより、水性のマーカーペンでラミネート層５４の表面にメッセージ（文字・図形等）を書くこともできるし、布地のイレーサー等で拭き取ることにより情報を容易に消去することができる。
【００４７】
［変形例］
以上、本考案を上記の実施形態に基づいて説明したが、本考案は上記の実施形態に限定されるものではない。その趣旨を逸脱しない範囲において種々の態様において実施することが可能であり、例えば以下のような変形も可能である。
【００４８】
（１）実施形態の説明においてはスタンド片２０を用いて主板設置部材２００を構成する例を示した。しかしながら本考案はこれに限定されるものではない。主板設置部材２００はパーティション主板１０を卓の上方に適切に設置せしめる部材でれば如何なる部材であってもよい。例えば、脚、スタンド、ネジ・ベルト・バインダーなどによって構成してもよい。また、特許文献１に記載されたスタンド部３のような機構を採用することも妨げない。
【００４９】
実施形態の説明で例示した主板設置部材２００（スタンド片２０）によれば、パーティション主板１０が卓に接することになるが、本考案においてはこれに限定されるものではない。例えば、図４に示すように、主板設置部材２００たる吊下げポール２８を用いてパーティション主板１０を天井１０２から吊下げるようにして、パーティション主板１０が卓１００に対して非接触となる設置方法を採用してもよい（変形例１）。
なお、図４は変形例１に係るパーティションのセット１’を示す模式図である。
【００５０】
実施形態の説明で例示した主板設置部材２００（スタンド片２０）によれば、パーティション主板１０は卓に対して固定されるものではなく、卓上で設置位置を適宜移動させることができるものとなっている。しかし、本考案においてはこれに限定されるものではない。例えば、図５に示すように、主板設置部材２００として固定ボルト２９を採用し、パーティション主板１０を卓１００に対して固定ボルト２９で固定するといった固定的な設置方法を採用してもよい（変形例２）。
なお、図５は、変形例２に係るパーティションのセット１’’を示す模式図である。
【００５１】
（２）実施形態では、パーティション主板１０は透明であることを前提として説明した。しかしながら本考案においてはこれに限定されるものではない。パーティションのセットの使い方として、例えば匿名性を保った状態で面談を行う場合もある。この場合は、パーティション主板１０を半透明な板にしてもよいし非透明な板にしてもよい。このようなパーティションのセットについても、本考案に係るパーティションのセットと実質的に均等なものとして理解される。
【００５２】
（３）実施形態では、パーティション主板１０は平面状の板であることを前提として説明した。しかしながら本考案においてはこれに限定されるものではない。パーティション主板１０の一部又は全部に曲面を有するものであってもよい。
【００５３】
（４）実施形態の説明において、トレー３０はパーティション主板１０に対して嵌挿する形で係合する構造のものを例に説明を行った。しかしながら本考案はこれに限定されるものではない。例えばトレー３０に配設された吸着パッドでパーティション主板１０に対して脱着可能になるようにトレー３０を構成してもよい。
【符号の説明】
【００５４】
１，１'，１''…パーティションのセット、１０…パーティション主板、１１…第１面、１２…第２面、１３…上辺、１４ａ，１４ｂ…側辺、１５…切り欠き開口、１６ａ，１６ｂ…スタンド係合溝、１７…スリット穴、１８…（パーティション主板の）下端面、２０…スタンド片、２０ａ…基端部、２０ｂ…先端部、２０ｃ…中間部、２２…（スタンド片の）下端面、２３…主板受け溝、２８…吊下げポール、２９…固定ボルト、３０…トレー、３２…受皿部、３２ａ…受皿ストッパー部、３４…係合凸条部、３５…止め穴、３６…凸条端、３８…縁部、４０…トレーアンカー、４２…アンカー凸条部、４４…凸条端、５０…メッセージステッカー、５２…ステッカー基材、５４…ラミネート層、５５…接着剤、５６…粘着層、１００…卓、１０２…天井、２００…主板設置部材、ＢＳ…裏面側、Ｒ…応対者、ＳＳ…表面側、Ｖ…来客者
【図１】
0003234079.tif 000003
【図２】
0003234079.tif 000004
【図３】
0003234079.tif 000005
【図４】
0003234079.tif 000006
【図５】
0003234079.tif 000007